(57)【要約】【課題】撮影部と照明部の配置関係が異なる様々な携帯情報端末に使用することができる携帯情報端末用の接写アダプタを提供する。【解決手段】接写アダプタ１は、携帯情報端末１００に取り付けられるアダプタ本体２と、アダプタ本体２を覆うとともに、頂上部３３に開口部３４が形成されたカバー部３とを備える。アダプタ本体２は、中央部に設けられ、携帯情報端末１００の撮影部１０１に対応する撮影窓２１と、撮影窓２１の周囲において周方向に延びる態様で設けられ、携帯情報端末１００の照明部１０２に対応する光透過部２２とを有する。携帯情報端末１００の照明部１０２の照明光は、光透過部２２の内部を透過し、カバー部３の内側に出射したあと、カバー部３の開口部３４に配置された被写体Ｓを照射する。携帯情報端末１００の撮影部１０１は、撮影窓２１を介してカバー部３の開口部３４において照明光が照射された被写体Ｓを撮影する。【選択図】図１
2016136237.tif 000002
【特許請求の範囲】
【請求項１】
被写体を撮影する撮影部と、被写体に照明光を照射する照明部とを備えた携帯情報端末に取り付けられる接写アダプタにおいて、
携帯情報端末に取り付けられるアダプタ本体と、前記アダプタ本体を覆うとともに、頂上部に開口部が形成されたカバー部とを備え、
前記アダプタ本体は、中央部に設けられ、携帯情報端末の撮影部に対応する撮影窓と、該撮影窓の周囲において周方向に延びる態様で設けられ、携帯情報端末の照明部に対応する光透過部とを有し、
携帯情報端末の前記照明部の照明光は、前記光透過部の内部を透過し、前記カバー部の内側に出射したあと、前記カバー部の開口部に配置された被写体を照射し、
携帯情報端末の前記撮影部は、前記撮影窓を介して前記カバー部の開口部において照明光が照射された被写体を撮影することを特徴とする接写アダプタ。
【請求項２】
前記光透過部は、前記照明部から照射される照明光を前記カバー部の開口部の方向に屈折又は反射させるプリズムが設けられている請求項１に記載の接写アダプタ。
【請求項３】
前記プリズムは、前記撮影窓を中心として同心円状に形成されている複数のプリズムからなる請求項２に記載の接写アダプタ。
【請求項４】
前記プリズムは、隣り合うもの同士において、径方向外側に設けられているプリズムの反射面が径方向内側に設けられているプリズムの反射面よりも径方向内側に傾斜している請求項３に記載の接写アダプタ。
【請求項５】
前記プリズムは、中央部から周縁部に向かうに従って、各プリズムの反射面が径方向内側に次第に傾斜している請求項４に記載の接写アダプタ。
【請求項６】
前記プリズムは、中央部から周縁部に向かうに従って、各プリズムの高さが次第に高くなる請求項３から請求項５のいずれかに記載の接写アダプタ。
【請求項７】
前記光透過部は、第１の偏光フィルタが設けられている請求項１から請求項６までのいずれかに記載の接写アダプタ。
【請求項８】
前記第１の偏光フィルタは、前記光透過部に前記プリズムが設けられている場合、該プリズムの周方向に回動可能に設けられている請求項７に記載の接写アダプタ。
【請求項９】
前記第１の偏光フィルタは、前記光透過部に前記プリズムが設けられている場合、該プリズムにおける携帯情報端末側に設けられている請求項７または請求項８に記載の接写アダプタ。
【請求項１０】
前記第１の偏光フィルタは、前記光透過部に前記プリズムが設けられている場合、該プリズムに密着状態に設けられ、該プリズムが周方向に回動するのに伴って周方向に回動する請求項７から請求項９のいずれかに記載の接写アダプタ。
【請求項１１】
前記撮影窓は、第２の偏光フィルタが設けられている請求項７から請求項１０までのいずれかに記載の接写アダプタ。
【請求項１２】
前記撮影窓は、接写レンズが設けられている請求項１から請求項１１までのいずれかに記載の接写アダプタ。
【請求項１３】
前記カバー部は、ドーム状に形成されている請求項１から請求項１２までのいずれかに記載の接写アダプタ。
【請求項１４】
前記カバー部は、外部の光が透過しない部材からなる請求項１から請求項１３までのいずれかに記載の接写アダプタ。
【発明の詳細な説明】
【技術分野】
【０００１】
本発明は、被写体を撮影する撮影部と、被写体に照明光を照射する照明部とを備えた携帯情報端末に取り付けられる接写アダプタに関するものである。
【背景技術】
【０００２】
従来から、携帯電話やスマートフォンなどの携帯情報端末は、電話・メールなどの通信機能以外の様々な機能が付加されるようになっている。このような機能の一つとして、風景や人物を撮影するための撮影機能がある。
【０００３】
そして近年、主に美容意識の高い人の間で、携帯情報端末の撮影機能により肌・頭皮を接写し、日々のスキンケアやスカルプケアに利用することが行われている。ところが、携帯情報端末の撮影機能による肌・頭皮の接写は、携帯情報端末の撮影部と肌・頭皮が近接した狭い空間で行われるため、被写体に不要な影がかかり、鮮やかな画像を撮影することができなかった。
【０００４】
そこで、携帯情報端末に取り付けられる接写アダプタであって、被写体に照明光を照射する照明部を備えたものが知られている。例えば、特許文献１には、撮影部としてのカメラを備えた携帯情報端末機器に取り外し可能に取り付けられる接写アダプタであって、光学素子と、該接写アダプタが前記携帯情報端末機器に取り付けられた状態で前記撮影部のレンズ前に対して前記光学素子を進退させる進退機構と、被写体に照明光を照射する照明部と、前記照明部を発光させるための電力を供給するバッテリを収容可能なバッテリ収容部とを有することを特徴とする接写アダプタが開示されている。
【０００５】
しかしながら、特許文献１の接写アダプタは、被写体に照明光を照射する照明部や照明部に電力を供給するバッテリを収容可能なバッテリ収容部を備えるため、装置が大型化するとともに製造コストが増加していた。
【０００６】
そこで、携帯情報端末に設けられた照明部を接写時の照明として利用する接写アダプタが知られている。例えば、特許文献２には、携帯情報端末の表面に所定の位置関係で配置された撮影部としての撮影窓及び照明部としての光学窓を覆うように前記表面に着脱可能に取り付けられる筐体を有する接写アダプタであって、前記筐体には、前記携帯情報端末に前記筐体が装着された場合に、前記撮影部に対向する位置に設けられた第１の窓及び前記照明部に対向する位置に設けられた第２の窓と、前記所定の位置関係とは異なる位置関係で、前記第１の窓及び前記第２の窓が設けられた面とは異なる面に設けられた、前記第１の窓に対応する第３の窓及び前記第２の窓に対応する第４の窓と、前記第１の窓と前記第３の窓とを結ぶ第１の光路を形成し、被写体の像を所定の拡大率で前記撮影部へ導光する第１光学系と、前記第２の窓と前記第４の窓とを結び、且つ前記第１の光路を迂回する第２の光路を形成する第２光学系と、が設けられていることを特徴とする接写アダプタが開示されている。
【０００７】
この特許文献２の接写アダプタは、照明部に対向する位置に設けられた第２の窓と、第２の窓に対応する第４の窓とを結ぶ第２光学系が設けられているため、接写の際に携帯情報端末の備える照明部から照射される照明光を第２光学系を介して被写体に照射することができる。
【先行技術文献】
【特許文献】
【０００８】
【特許文献１】特開２０１３−１２５０３８号
【特許文献２】特開２０１３−２００４７３号
【発明の概要】
【発明が解決しようとする課題】
【０００９】
しかしながら、特許文献２の接写アダプタは、携帯情報端末の表面に撮影部及び照明部を覆うように取り付けられるものであって、撮影部に対向する位置に設けられた第１の窓及び照明部に対向する位置に設けられた第２の窓を備えるため、撮影部と照明部の配置は所定の位置関係に固定されていた。ところが、携帯情報端末は、撮影部と照明部が例えば上下に並ぶ機種や左右に並ぶ機種が存在するように、機種によって撮影部と照明部の配置は位置関係が異なっている。このため、特許文献２の接写アダプタは、撮影部と照明部が異なる位置関係で配置される別の機種の携帯情報端末に使用することができず、メーカーは携帯情報端末の機種ごとに接写アダプタを製造する必要があり製造コストが増大していた。また、ユーザーは、接写アダプタを購入する際に、自身の携帯情報端末に適合する接写アダプタを選別する必要があり面倒であるとともに、携帯情報端末の機種変更の度に接写アダプタを買い替える必要があった。
【００１０】
本発明は、上述の問題に鑑みてなされたものであり、撮影部と照明部の配置関係が異なる様々な携帯情報端末に使用することができる携帯情報端末用の接写アダプタを提供することを目的とする。
【課題を解決するための手段】
【００１１】
本発明は、上記目的を達成するために、被写体を撮影する撮影部と、被写体に照明光を照射する照明部とを備えた携帯情報端末に取り付けられる接写アダプタにおいて、携帯情報端末に取り付けられるアダプタ本体と、前記アダプタ本体を覆うとともに、頂上部に開口部が形成されたカバー部とを備え、前記アダプタ本体は、中央部に設けられ、携帯情報端末の撮影部に対応する撮影窓と、該撮影窓の周囲において周方向に延びる態様で設けられ、携帯情報端末の照明部に対応する光透過部とを有し、携帯情報端末の前記照明部の照明光は、前記光透過部の内部を透過し、前記カバー部の内側に出射したあと、前記カバー部の開口部に配置された被写体を照射し、携帯情報端末の前記撮影部は、前記撮影窓を介して前記カバー部の開口部において照明光が照射された被写体を撮影することを特徴とする。
【００１２】
これによれば、アダプタ本体は、中央部に設けられ、携帯情報端末の撮影部に対応する撮影窓と、該撮影窓の周囲において周方向に延びる態様で設けられ、携帯情報端末の照明部に対応する光透過部とを有するため、撮影部と照明部の配置関係が異なる様々な携帯情報端末に使用することができる。
【００１３】
また、前記光透過部は、前記照明部から照射される照明光を前記カバー部の開口部の方向に屈折又は反射させるプリズムが設けられているのが好ましい。これによれば、光透過部は、照明部から照射される照明光が開口部の方向に屈折又は反射するため、照明光が開口部の中央部を中心として開口部の周縁部にも行き亘り、開口部に配置された被写体をバランスの良い明るさで照らすことができる。
【００１４】
また、前記プリズムは、前記撮影窓を中心として同心円状に形成されている複数のプリズムからなるのが好ましい。これによれば、照明部がどのような位置に配置されていても、該照明部の位置にプリズムを備えるため、照明光を確実に開口部に収斂させることができる。
【００１５】
また、前記プリズムは、隣り合うもの同士において、径方向外側に設けられているプリズムの反射面が径方向内側に設けられているプリズムの反射面よりも径方向内側に傾斜していてもよい。これによれば、照明光の外側部分が径方向内側に大きく屈折し、照明光の内側部分が照明光の外側部分に比べて径方向内側に小さく屈折するため、照明光を確実に開口部の方向に屈折させることができる。
【００１６】
また、前記プリズムは、中央部から周縁部に向かうに従って、各プリズムの反射面が径方向内側に次第に傾斜していてもよい。これによれば、照明部が径方向内側位置に配置された場合、照明光が径方向内側に小さく屈折し、照明部が径方向中間位置に配置された場合、照明光が径方向内側に中程度の大きさで屈折し、照明部が径方向外側位置に配置された場合、照明光が径方向内側に大きく屈折するため、照明部が径方向のどの位置に配置された場合であっても、照明光を確実に開口部の方向に屈折させることができる。
【００１７】
また、前記プリズムは、中央部から周縁部に向かうに従って、各プリズムの高さが次第に高くなってもよい。これによれば、プリズムの中央部から周縁部にかけてプリズムが画像に写り込むことを防止することができるとともに、カバー部の開口部において被写体を明るく照射することができる。しかも、各プリズムの反射面を同一方向に傾斜させた場合、被写体に対して十分な照度を保ちながらも、プリズムの成形が容易となり、プリズムを低コストで製造することができる。
【００１８】
また、前記光透過部は、第１の偏光フィルタが設けられてもよい。これによれば、アダプタ本体は、プリズムを透過し被写体に照射される照明光を第１の偏光フィルタにより偏光させることができる。
【００１９】
また、前記第１の偏光フィルタは、前記光透過部に前記プリズムが設けられている場合、該プリズムの周方向に回動可能に設けられていてもよい。これによれば、第１の偏光フィルタによる照明光の偏光方向を容易に変更することができる。
【００２０】
また、前記第１の偏光フィルタは、前記光透過部に前記プリズムが設けられている場合、該プリズムにおける携帯情報端末側に設けられてもよい。これによれば、第１の偏光フィルタが画像に写り込むことを防止することができる。
【００２１】
また、前記第１の偏光フィルタは、前記光透過部に前記プリズムが設けられている場合、該プリズムに密着状態に設けられ、該プリズムが周方向に回動するのに伴って周方向に回動してもよい。これによれば、プリズムを周方向に回動させるだけで第１の偏光フィルタによる照明光の偏光方向を容易に変更することができる。
【００２２】
前記撮影窓は、第２の偏光フィルタが設けられてもよい。これによれば、第１の偏光フィルタと第２の偏光フィルタの偏光方向を同一にすることにより、第１の偏光フィルタを透過した一定方向の照明光が被写体としての肌・頭皮の表面で反射し、その反射光が第２の偏光フィルタを透過するため、撮影部において肌・頭皮の凹凸で反射した光がそのまま通過することができ、肌・頭皮のシワを鮮明に撮影することが可能となる。また、第１の偏光フィルタと第２の偏光フィルタの偏光方向を直交させることにより、第１の偏光フィルタを透過した一定方向の照明光が被写体としての肌・頭皮の表面で反射し、その反射光が第２の偏光フィルタに遮断されるため、撮影部において肌・頭皮の濃淡を強調させて結像させることができ、肌・頭皮のシミを鮮明に撮影することが可能となる。
【００２３】
また、前記撮影窓は、接写レンズが設けられてもよい。これによれば、接写レンズにより被写体を拡大して撮影することができ、撮影した画像を解析することが容易となる。
【００２４】
また、前記カバー部は、ドーム状に形成されているのが好ましい。これによれば、照明光をカバー部の頂上部に形成された開口部に収斂させ易くなる。
【００２５】
また、前記カバー部は、外部の光が透過しない部材からなるのが好ましい。これによれば、カバー部の外部の光がカバー部内に進入することを防止でき、撮影空間を所定の明るさに保つことが可能となる。
【発明の効果】
【００２６】
本発明によれば、アダプタ本体が、中央部に設けられ、携帯情報端末の撮影部に対応する撮影窓と、該撮影窓の周囲において周方向に延びる態様で設けられ、携帯情報端末の照明部に対応する光透過部とを有するため、撮影部と照明部の配置関係が異なる様々な携帯情報端末に使用することができる。
【００２７】
このため、メーカーは、携帯情報端末ごとに接写アダプタを製造する必要がなく、製造コストを低減することができる。
【００２８】
また、販売店は、携帯情報端末ごとに接写アダプタの在庫を用意する必要がなく、接写アダプタの在庫を切らす虞を低減することができる。
【００２９】
また、販売店は、携帯情報端末ごとに接写アダプタを陳列する必要がなく、陳列スペースを削減することができる。
【００３０】
また、ユーザは、自身の携帯情報端末の機種に適合する接写アダプタを選別する手間を省くことができるため、接写アダプタを購入し易くなる。
【００３１】
また、ユーザは、携帯情報端末の機種変更の度に、接写アダプタを買い替える必要がなくなる。
【００３２】
したがって、ユーザは、該接写アダプタを自身の撮影部および照明部付きの携帯情報端末に取り付けることにより、いつでも簡単に自身または他人の肌や頭皮を接写することができ、ひいては肌や頭皮に関する日々の美容やスカルプケアに資することが可能となる。
【図面の簡単な説明】
【００３３】
【図１】第１の実施形態に係る接写アダプタの斜視図である。
【図２】図１の接写アダプタの平面図である。
【図３】図２の接写アダプタの（ａ）縦断面図、（ｂ）カバー部を取り外した状態の平面図である。
【図４】第２の実施形態に係る接写アダプタの（ａ）縦断面図、（ｂ）カバー部を取り外した状態の平面図である。
【図５】照明部から照射された照明光の光路を示す縦断面図である。
【図６】（ａ）照明部が径方向中間位置に配置された場合、（ｂ）照明部が径方向内側位置に配置された場合、（ｃ）照明部が径方向外側位置に配置された場合の照明光の光路を示す縦断面図である。
【図７】第３の実施形態に係る接写アダプタの（ａ）縦断面図、（ｂ）カバー部を取り外した状態の平面図である。
【図８】第４の実施形態に係る接写アダプタの（ａ）縦断面図、（ｂ）カバー部を取り外した状態の平面図である。
【発明を実施するための形態】
【００３４】
＜第１の実施形態＞
次に、本発明に係る接写アダプタの第１の実施形態について図１〜図３を参照しつつ説明する。
【００３５】
前記接写アダプタ１は、図１〜図３に示すように、被写体Ｓを撮影する撮影部１０１と、被写体Ｓに照明光を照射するＬＥＤ等の照明部１０２とを頭部に備えたスマートフォン等の携帯情報端末１００に取り付けられる。そして、この接写アダプタ１は、携帯情報端末１００の頭部の前面に取り付けられるアダプタ本体２と、アダプタ本体２を覆うカバー部３と、アダプタ本体２を携帯情報端末１００の頭部に取り付けるための取付部４を備えている。この接写アダプタ１は、後述するように、アダプタ本体２と取付部４が携帯情報端末１００を前後から挟持することにより携帯情報端末１００に取り付けられる。なお、本明細書において、「前」とは、携帯情報端末１００の撮影部１０１および照明部１０２が存在する方向をいい、「後」とは、携帯情報端末１００の撮影部１０１および照明部１０２が存在する方向と反対方向をいう。
【００３６】
前記アダプタ本体２は、撮影部１０１および照明部１０２の前面に配置されるものであり、厚みを有する円盤状に形成されている。このアダプタ本体２は、中央部に設けられた撮影窓２１と、該撮影窓２１の周囲において周方向に延びる態様で設けられた光透過部２２とを備える。
【００３７】
前記撮影窓２１は、接写時に被写体Ｓを撮影するための円形状の窓であり、携帯情報端末１００の撮影部１０１とほぼ同一の径ｄに形成されている。この撮影窓２１は、接写アダプタ１が携帯情報端末１００に取り付けられた際、携帯情報端末１００の撮影部１０１が露出するように該撮影部１０１に対応して配置される。このため、撮影部１０１は、撮影窓２１を介して照明光が照射された被写体Ｓを撮影することができる。なお、撮影窓２１の径ｄは、特に限定されるものではないが、現存する携帯情報端末１００の撮影部１０１の径を考慮すると、４〜１２ｍｍの範囲内が好ましい。
【００３８】
なお、撮影窓２１は、凸状の接写レンズ５が内側に設けられている。これによれば、接写レンズ５により被写体Ｓを拡大して撮影することができ、撮影した画像を解析することが容易となる。
【００３９】
前記光透過部２２は、光を透過させる透明部材から構成された環状の部材であり、携帯情報端末１００の撮影部１０１と照明部１０２の距離よりも長い幅ｗに形成されている。この光透過部２２は、上述のように接写アダプタ１が携帯情報端末１００に取り付けられた際、携帯情報端末１００の照明部１０２を覆うように該照明部１０２に対応して配置される。このため、携帯情報端末１００の照明部１０２の照明光は、光透過部２２の内部を透過することができる。また、照明光が光透過部２２の内部を透過する際、照明光が屈折したり、拡散するようにしてもよい。なお、光透過部２２の幅ｗは、特に限定されるものではないが、現存する携帯情報端末１００の撮影部１０１から照明部１０２までの距離を考慮すると、７〜２１ｍｍの範囲内が好ましい。
【００４０】
また、光透過部２２は、第１光透過部２３と、第１光透過部２３の前側に配置された第２光透過部２４とで構成された２層構造を有している。前記第１光透過部２３は、円盤状に形成されており、接写アダプタ１を携帯情報端末１００に取り付けたときに、後面が携帯情報端末１００の照明部１０２に当接する。この第１光透過部２３は、前面の周縁部において前方に突出する壁状の突出壁２３ａを備えている。前記第２光透過部２４は、第１光透過部２３より小径の円盤状に形成されており、後面が第１光透過部２３の前面と密着する態様で第１光透過部２３の突出壁２３ａの内側に嵌り込んでいる。
【００４１】
而して、照明光は、携帯情報端末１００の照明部１０２から出射し、第１光透過部２３の後面から入射したあと、第１光透過部２３および第２光透過部２４の内部を透過し、第２光透過部２４の前面からカバー部３の内側に出射する。
【００４２】
前記カバー部３は、被写体Ｓを接写するための撮影空間３１を形成するためのものであり、ドーム状に形成されている。具体的には、カバー部３は、周縁部３２がアダプタ本体２の突出壁２３ａから立設され、周縁部３２から頂上部３３に向かうにしたがって径方向内側への傾斜角を減少させながら緩やかに湾曲している。
【００４３】
また、前記カバー部３は、頂上部３３に円形の開口部３４が形成されており、接写の際に開口部３４に被写体Ｓが配置される。このため、カバー部３は、図３（ａ）に示すように、開口部３４に被写体Ｓが配置されると、被写体Ｓを外部から遮断せしめ、外部の環境に影響されない撮影空間３１を形成する。
【００４４】
また、前記カバー部３は、外部の光が透過しない部材、又は透過しにくい部材からなり、本実施形態では部材が黒色に着色されている。このため、カバー部３の外部の光がカバー部３内の撮影空間３１に進入することを防止できるとともに、カバー部３内の光の反射を防止でき、撮影空間３１を適度な明るさに保つことが可能となる。
【００４５】
而して、照明光は、第２光透過部２４から出射したあと、カバー部３の内側の撮影空間３１を開口部３４に向かって直接または内面で反射しながら通過し、頂上部３３の開口部３４の被写体Ｓを照射する。
【００４６】
前記取付部４は、第１光透過部２３からアダプタ本体２の径方向に延びる矩形状の前側板４１と、携帯情報端末１００の後面に配置されるＳ字状の後側板４２と、後側板４２を前側板４１に向かい回動可能に付勢するばね式のヒンジ４３を備える。このため、取付部４は、前側板４１と後側板４２により携帯情報端末１００を前後から挟持する態様で、携帯情報端末１００に取り付けることができる。
【００４７】
次に、接写アダプタ１を使用した被写体Ｓの接写方法について説明する。
【００４８】
まず、ユーザは、接写アダプタ１を携帯情報端末１００の頭部に取り付ける。具体的には、ユーザは、後側板４２と前側板４１を離間させ、後側板４２と前側板４１の間に携帯情報端末１００の頭部を挿入して、撮影窓２１が携帯情報端末１００の撮影部１０１に対応するように接写アダプタ１を携帯情報端末１００に取り付ける。このとき、光透過部２２は、撮影窓２１の周囲に周方向に延びる態様で形成されているため、撮影部１０１と照明部１０２の配置関係に関わらず、照明部１０２を覆うように該照明部１０２に対応することができる。
【００４９】
次に、ユーザは、携帯情報端末１００の頭部に取り付けた接写アダプタ１を所望の被写体Ｓに合わせる。具体的には、ユーザは、接写アダプタ１のカバー部３の開口部３４の内側に被写体Ｓの撮影箇所が配置されるように、カバー部３の開口部３４を被写体Ｓの表面に当接させる。このとき被写体Ｓは、撮影窓２１を通じて携帯情報端末１００の撮影部１０１に対向した接写可能な状態になる。
【００５０】
次に、ユーザは、接写アダプタ１を被写体Ｓの撮影箇所に合わせた状態で被写体Ｓを接写する。具体的には、ユーザが、携帯情報端末１００の所定の操作を行って接写を開始すると、照明光は、携帯情報端末１００の照明部１０２から出射し、第１光透過部２３の後面から入射したあと、第１光透過部２３および第２光透過部２４の内部を透過し、第２光透過部２４の前面からカバー部３の内側に出射する。
【００５１】
次に、照明光は、第２光透過部２４の前面から出射したあと、カバー部３の内側の撮影空間３１を開口部３４に向かって通過し、頂上部３３の開口部３４の被写体Ｓを照射する。
【００５２】
そして、携帯情報端末１００の撮影部１０１が、アダプタ本体２の撮影窓２１を介してカバー部３の開口部３４において照明光が照射された被写体Ｓを撮影する。
【００５３】
而して、アダプタ本体２が、中央部に設けられ、携帯情報端末１００の撮影部１０１に対応する撮影窓２１と、該撮影窓２１の周囲において周方向に延びる態様で設けられ、携帯情報端末１００の照明部１０２に対応する光透過部２２とを有するため、撮影部１０１と照明部１０２の配置関係が異なる様々な携帯情報端末１００に使用することができる。
【００５４】
なお、携帯情報端末１００は、スマートフォンに限定されるものではなく、撮影部１０１と照明部１０２とを備えているものであれば、携帯電話、ＰＨＳ（Ｐｅｒｓｏｎａｌ  Ｈａｎｄｙｐｈｏｎｅ  Ｓｙｓｔｅｍ）、デジタルカメラ、携帯型音楽プレーヤー、携帯型映像プレーヤー、タブレット端末、パーム、携帯ゲーム機などであってもよい。
【００５５】
また、アダプタ本体２は、円盤状である必要はなく、その他の形状であってもよい。
【００５６】
また、カバー部３は、ドーム状に形成されている必要はなく、その他の形状であってもよい。
【００５７】
また、取付部４は、前側板４１と後側板４２により挟持しながら取り付ける構造である必要はなく、その他の方法により取り付ける構造であってもよい。
【００５８】
また、光透過部２２は、撮影窓２１の周方向の全周亘って延びる態様で設けられるとしたが、これに限られず、撮影窓２１の周方向の一部において切り欠かれていてもよい。ただし、好ましくは、撮影窓２１の周方向の全周の７５％以上に亘って延びる態様で設けられており、より好ましくは、撮影窓２１の周方向の全周の９０％以上に亘って延びる態様で設けられるのがよい。
【００５９】
また、携帯情報端末１００の前面に撮影部１０１および照明部１０２が設けられている場合について説明したが、携帯情報端末１００の表示画面側に撮影部１０１および照明部１０２が設けれている場合、アダプタ本体２は該表示画面側に設けられる。また、携帯情報端末１００の表示画面が照明部１０２として機能する場合、アダプタ本体２の光透過部２２は携帯情報端末１００の表示画面の一部を覆う態様で配置される。
【００６０】
＜第２の実施形態＞
次に、本発明に係る接写アダプタの第２の実施形態について図４〜図６を参照しつつ説明する。なお、以下では上記の実施形態と異なる構成についてのみ説明することとし、同一の構成については説明を省略して同一の符号を付すこととする。
【００６１】
本実施形態の光透過部２２は、図４に示すように、第２光透過部としてプリズム２６が設けられている。このプリズム２６は、照明部１０２から照射される照明光を開口部３４の方向に反射させるものであって、撮影窓２１を中心として同心円状に形成されている複数のプリズム２６からなる。
【００６２】
各プリズム２６は、径方向内側に設けられた出射面２６１と、径方向外側に設けられた反射面２６２とを備えた山型形状に設けられ、出射面２６１が第１光透過部２３の前面から前方向に垂直に延び、反射面２６２が第１光透過部２３の前面から径方向内側に傾斜して延びている。出射面２６１と反射面２６２は、図４に示すように、縦断面図において直線状の断面線を形成している。なお、反射面２６２は、プリズム２６の臨界角より小さい角度で傾斜している。
【００６３】
各プリズム２６は、図４及び図５に示すように、隣り合うプリズム２６ａ、２６ｂにおいて、径方向外側に設けられているプリズム２６ａの反射面２６２ａが径方向内側に設けられているプリズム２６ｂの反射面２６２ｂよりも径方向内側に傾斜している。同様に、隣り合うプリズム２６ｂ，２６ｃにおいて、径方向外側に設けられているプリズム２６ｂの反射面２６２ｂが径方向内側に設けられているプリズム２６ｃの反射面２６２ｃよりも径方向内側に傾斜している。このため、図５に示すように、照明光の外側部分が径方向内側に角度θ１で大きく反射し、照明光の中間部分が径方向内側に角度θ２（＜θ１）で反射し、照明光の内側部分が径方向内側に角度θ３（＜θ２）で反射するため、照明光を確実に開口部３４に収斂させることができる。
【００６４】
また、各プリズム２６は、反射面２６２が光透過部２２の中央部から周縁部に向かうに従って、各プリズムの反射面２６２が径方向内側に次第に傾斜している。このため、図６（ｂ）に示すように照明部１０２が径方向内側位置に配置された場合には、図６（ａ）の照明部１０２が径方向中間位置に配置された場合よりも照明光が径方向内側に小さく反射し、図６（ｃ）に示すように、照明部１０２が径方向外側位置に配置された場合には、図６（ａ）の照明部１０２が径方向中間位置に配置された場合よりも照明光が径方向内側に大きく反射するため、照明部１０２が径方向のどの位置に配置された場合であっても、照明光を確実に開口部３４の方向に反射させることができる。
【００６５】
なお、図５及び図６において、照明光は、照明部１０２から直角に照射されるものについてだけ図示したが、実際には、照明部１０２から拡散する態様で照射されるため、開口部３４において図示された範囲より広い範囲に照射される。
【００６６】
これにより、照明部１０２から照射される照明光が開口部３４の方向に反射するため、照明光が開口部３４の中央部を中心として開口部３４の周縁部にも行き亘り、開口部３４の内側に配置された被写体Ｓをバランスの良い明るさで照らすことができる。
【００６７】
なお、プリズム２６は、複数のプリズムにより構成されているとしたが、単一のプリズムで構成されてもよい。
【００６８】
また、各プリズム２６は、反射面２６２が光透過部２２の中央部から周縁部に向かうに従って径方向内側に次第に傾斜しているものとしたが、その他の傾斜態様であってもよい。  
【００６９】
また、各プリズム２６は、照明光を径方向内側に反射させるとしたが、照明光を径方向内側に屈折させてもよい。
【００７０】
＜第３の実施形態＞
次に、本発明に係る接写アダプタの第３の実施形態について図７を参照しつつ説明する。  
【００７１】
本実施形態のアダプタ本体２は、光透過部２２の前側であって突出壁２３ａの内側に第１の偏光フィルタ６が設けられている。また、アダプタ本体２は、突出壁２３ａの右側および左側において突出壁２３ａを切り欠いた切欠部２３１が設けられている。
【００７２】
前記第１の偏光フィルタ６は、光透過部２２の前面を覆う円盤状に形成され、撮影窓２１に対応する位置に円形の開口部６１が設けられている。このため、アダプタ本体２は、光透過部２２を透過した照明光を第１の偏光フィルタ６により偏光させることができる。
【００７３】
また、第１の偏光フィルタ６は、周縁部に径方向に突出したつまみ部６２が設けられており、つまみ部６２は突出壁２３ａの切欠部２３１から突出壁２３ａの径方向外側に突出している。これにより、ユーザは、第１の偏光フィルタ６のつまみ部６２を周方向に回動させることにより、第１の偏光フィルタ６を周方向に回動させることができる。
【００７４】
また、アダプタ本体２は、撮影窓２１における接写レンズ５の後側に第２の偏光フィルタ７が設けられている。このため、アダプタ本体２は、撮影窓２１を通過する被写体Ｓから反射光を第２の偏光フィルタ７により偏光させることができる。
【００７５】
而して、第１の偏光フィルタ６を回動させて第１の偏光フィルタ６と第２の偏光フィルタ７の偏光方向を同一にすることにより、第１の偏光フィルタ６を透過した一定方向の照明光が被写体Ｓとしての肌・頭皮の表面で反射し、その反射光が第２の偏光フィルタ７を透過するため、撮影部１０１において肌・頭皮の凹凸で反射した光がそのまま通過することができ、肌・頭皮のシワを鮮明に撮影することが可能となる。
【００７６】
また、第１の偏光フィルタ６を回動させて第１の偏光フィルタ６と第２の偏光フィルタ７の偏光方向を直交させることにより、第１の偏光フィルタ６を透過した一定方向の照明光が被写体Ｓとしての肌・頭皮の表面で反射し、その反射光が第２の偏光フィルタ７に遮断されるため、撮影部１０１において肌・頭皮の濃淡を強調させて結像させることができ、肌・頭皮のシミを鮮明に撮影することが可能となる。
【００７７】
＜第４の実施形態＞
次に、本発明に係る接写アダプタの第４の実施形態について図８を参照しつつ説明する。  
【００７８】
本実施形態のプリズム２６は、中央部から周縁部に向かうに従って、各プリズム２６の高さが次第に増加している。このため、プリズム２６の中央部から周縁部にかけてプリズム２６が画像に写り込むことを防止することができるとともに、カバー部３の開口部３４において被写体Ｓを明るく照射することができる。しかも、各プリズム２６の反射面２６２を同一方向に傾斜させた場合であっても、カバー部３の開口部３４において被写体Ｓを十分に明るく照射することができる。
【００７９】
また、プリズム２６は、各プリズム２６の反射面２６２が同一方向に傾斜している。このため、プリズム２６の成形が容易となり、プリズム２６を低コストで製造することができる。
【００８０】
また、第１の偏光フィルタ６が、プリズム２６における携帯情報端末１００側に設けられている。これによれば、第１の偏光フィルタが画像に写り込むことを防止することができる。
【００８１】
また、第１の偏光フィルタ６は、プリズム２６に密着状態に設けられ、該プリズム２６が周方向に回動するのに伴って周方向に回動する。より具体的には、プリズム２６の周縁部に径方向に突出したつまみ部２６３が設けられており、つまみ部２６３を摘まんでプリズム２６を周方向に回動させると、プリズム２６が周方向に回動し、それに伴って第１の偏光フィルタ６が周方向に回動する。これによれば、プリズム２６を周方向に回動させるだけで第１の偏光フィルタ６による照明光の偏光方向を容易に変更することができる。
【００８２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００８３】
１…接写アダプタ
２…アダプタ本体
２１…撮影窓
２２…光透過部
２３…第１光透過部
２４…第２光透過部
２３ａ…突出壁
２３１…切欠部
２６…プリズム
２６１…出射面
２６２…反射面
２６３…つまみ部
３…カバー部
３１…撮影空間
３２…周縁部
３３…頂上部
３４…開口部
４…取付部
４１…前側板
４２…後側板
４３…ヒンジ
５…接写レンズ
６…第１の偏光フィルタ
６１…開口部
６２…つまみ部
７…第２の偏光フィルタ
１００…携帯情報端末
１０１…撮影部
１０２…照明部
Ｓ…被写体
【図１】
2016136237.tif 000003
【図２】
2016136237.tif 000004
【図３】
2016136237.tif 000005
【図４】
2016136237.tif 000006
【図５】
2016136237.tif 000007
【図６】
2016136237.tif 000008
【図７】
2016136237.tif 000009
【図８】
2016136237.tif 000010